(57)【要約】【課題】二次元コードを付した印刷媒体の配布を介して、配布したユーザーおよび受け取った友人等のニーズや行動に合致する広告を含めた動画コンテンツを容易に配信できる動画コンテンツ配信方法を提供する。【解決手段】（１）ユーザー１が自身の専用サイト２ａを運営者サーバー２上に作成する初回登録ステップと、（２）運営者４等が、専用サイト２ａへの接続情報を含む二次元コード６を付した印刷媒体５を作製する印刷媒体作製ステップと、（３）ユーザー１が、動画を端末３を介して専用サイト２ａに登録する動画登録ステップと、（４）印刷媒体５の受取人７が、携帯端末１０を用い、印刷媒体５の二次元コード６を読み取ることで専用サイト２ａに接続し、運営者サーバー２が専用サイト２ａの撮影動画に広告サーバー８の広告動画を組み合わせた状態の動画コンテンツを受取人７の携帯端末１０に配信する動画コンテンツ配信ステップとを備えてなる。【選択図】図１
2008225863.tif 000002
【特許請求の範囲】
【請求項１】
ユーザーが、インターネット接続端末を用いて運営者のサーバー上の初回登録用サイトに接続してユーザーの所定情報を登録し、該ユーザーの専用サイトを運営者サーバー上に作成する初回登録ステップと、
前記運営者または前記ユーザーが、前記専用サイトへの接続情報を含む二次元コードを付した印刷媒体を作製する印刷媒体作製ステップと、
前記ユーザーが、撮影した撮影動画をインターネット接続端末を用いて前記運営者サーバーに送信し前記専用サイトに登録する動画登録ステップと、
前記印刷媒体を前記ユーザーから受け取った受取人が、インターネット接続機能および二次元コード読取機能を有する携帯端末を用い、前記印刷媒体中の前記二次元コードを読み取ることで前記専用サイトに接続するとともに、少なくとも前記運営者サーバーが前記専用サイトに登録されている前記撮影動画に広告サーバーに登録されている広告動画を組み合わせた状態の動画コンテンツを前記受取人の携帯端末に配信する動画コンテンツ配信ステップとを備えてなることを特徴とする動画コンテンツ配信方法。
【請求項２】
前記動画コンテンツ配信ステップにおいて、前記運営者サーバーは、少なくとも前記初回登録ステップ時の前記ユーザーの所定情報に基づいて、前記撮影動画に組み合わせる前記広告動画を選択することを特徴とする請求項１記載の動画コンテンツ配信方法。
【請求項３】
前記動画コンテンツ配信ステップにおいて、前記動画コンテンツは、前記運営者サーバーが前記撮影動画を、前記広告サーバーが前記広告動画をそれぞれ連続的に配信することで、前記撮影動画に前記広告動画を組み合わせた状態の動画コンテンツとして前記受取人の携帯端末に配信されることを特徴とする請求項１または請求項２記載の動画コンテンツ配信方法。
【請求項４】
前記初回登録ステップにおいて、前記ユーザーがインターネット接続端末を用いて登録用画像を前記運営者サーバーに送信し、
前記印刷媒体作製ステップにおいて、前記運営者が前記専用サイトへの接続情報を含む二次元コードおよび前記登録用画像を付した印刷媒体を作製した後、該印刷媒体を前記ユーザーに受け渡すことを特徴とする請求項１、請求項２または請求項３記載の動画コンテンツ配信方法。
【請求項５】
前記印刷媒体作製ステップにおいて、前記ユーザーが前記運営者サーバーからインターネット接続端末を介して取得した前記二次元コードの作成プログラムを用いて、前記専用サイトへの接続情報を含む二次元コードを付した印刷媒体を作製することを特徴とする請求項１、請求項２または請求項３記載の動画コンテンツ配信方法。
【請求項６】
前記二次元コードは、ベースセルとデータセルとがマトリクス状に配列されてなり、前記ベースセルおよびデータセルのいずれか一方が透過状態で前記印刷媒体上に付されることを特徴とする請求項１ないし請求項５のいずれか一項記載の動画コンテンツ配信方法。
【請求項７】
前記インターネット接続端末が、インターネット接続機能および動画・画像撮影機能を有する携帯端末であることを特徴とする請求項１ないし請求項６のいずれか一項記載の動画コンテンツ配信方法。
【発明の詳細な説明】
【技術分野】
【０００１】
本発明は、携帯端末と写真シール（いわゆる、プリクラ）等の印刷物に付した透過型二次元コードとを利用し、ユーザーのニーズや行動に合致するＣＭ（commercial message）広告を含めた動画コンテンツの配信方法に関する。
【背景技術】
【０００２】
第３世代携帯電話機の普及と、携帯電話各社のパケット料金定額制の導入により、高解像度の画像や動画配信等のユーザーのモバイルコンテンツに対するニーズが高まっている。また、携帯電話各社とも、動画等の映像コンテンツを提供する環境が既に整っており、例えばユーザーが自作の動画をサーバー上にアップロードし、これを友人等が閲覧できるようにするサービス等の提供が可能である。
しかし、通信料については上記したパケット料金定額制の導入等によりリーズナブルとなっているが、多くの動画配信用サイトは通信料とは別に所定のコンテンツ利用料金を支払う必要があり、コンテンツ利用料金を支払ってまで利用したいというユーザーが少なく、利用者数が伸びないという問題がある。
【０００３】
サイト上に広告を載せることで広告スポンサーより宣伝広告料を得てコンテンツ利用料金を下げることも考えられる。しかし現在、携帯電話等のモバイル機器で接続するサイト上に表示する広告（以下、モバイル広告と記す）は、表示スペースが小さい、サイト閲覧中に広告表示まで至らない等により閲覧者に注目されず、広告スポンサーにとってはメリットが少なく積極的な利用がなされていない。
また、ユーザー自作の動画をその友人等が閲覧できるサービスを提供する場合に、上記のように広告を表示等すると、目的の動画以外に広告のための表示領域や表示時間が必要となり、この広告が閲覧する友人等の趣味・趣向に合わないと煩わしく感じ、延いては利用者数増加の妨げとなるおそれがある。
【０００４】
一方、二次元コードは、多くの情報を小さなスペースに収納できる利点がある上、近年の携帯電話等の発達により個人での読取認識が容易となっていることから、急激に普及が進んでおり、情報雑誌、パンプレットに付されること等で利用されている。格納される情報としては、例えば、テキスト情報、インターネットのＵＲＬ（Uniform Resource Locator）等が挙げられる。二次元コードとしては、デンソー（株）により開発・発表されたＱＲ（Ｑｕｉｃｋ  Ｒｅｓｐｏｎｓｅ）コードが 国内で最も浸透し利用されている（特許文献１等参照）。
ＱＲコードを利用した一態様として、従来、ＱＲコードが印刷された印刷物を配布し、印刷物の受取人が携帯電話機でＱＲコードを読み取り、サーバーにアクセスして配布者の登録した情報を閲覧するシステム等が開示されている（特許文献２参照）。
【０００５】
しかしながら、上記ＱＲコード等の二次元コードは、白および黒（または暗褐色）のセルがマトリクス状に配列した正方形状のものであるため、該コードが印刷物中に付されるとデザイン的に違和感があるという問題がある。印刷物が特許文献２の具体例として記載されている名刺等のビジネス的なものである場合と比較して、若年層で利用されるプリクラ等、親しい友人間等で受け渡しされる印刷物に付される場合では、デザイン性も重要なポイントとなるため、極力違和感のない状態でコードが付されていることが望ましい。
【特許文献１】特許第２９３８３３８号公報
【特許文献２】特開２００６−８５６５８号公報
【発明の開示】
【発明が解決しようとする課題】
【０００６】
本発明はこのような問題点を解決するためになされたもので、二次元コードを付した印刷媒体の配布を介して、配布したユーザーおよび受け取った友人等のニーズや行動に合致する広告を含めた動画コンテンツを容易に配信できる動画コンテンツ配信方法の提供を目的とする。
【課題を解決するための手段】
【０００７】
本発明の動画コンテンツ配信方法は、（１）ユーザーが、インターネット接続端末を用いて運営者のサーバー上の初回登録用サイトに接続してユーザーの所定情報を登録し、該ユーザーの専用サイトを運営者サーバー上に作成する初回登録ステップと、（２）上記運営者または上記ユーザーが、上記専用サイトへの接続情報を含む二次元コードを付した印刷媒体を作製する印刷媒体作製ステップと、（３）上記ユーザーが、撮影した撮影動画をインターネット接続端末を用いて上記運営者サーバーに送信し上記専用サイトに登録する動画登録ステップと、（４）上記印刷媒体を上記ユーザーから受け取った受取人が、インターネット接続機能および二次元コード読取機能を有する携帯端末を用い、上記印刷媒体中の上記二次元コードを読み取ることで上記専用サイトに接続するとともに、少なくとも上記運営者サーバーが上記専用サイトに登録されている上記撮影動画に広告サーバーに登録されている広告動画を組み合わせた状態の動画コンテンツを上記受取人の携帯端末に配信する動画コンテンツ配信ステップとを備えてなることを特徴とする。
【０００８】
本発明において、特に明示してある場合を除き、サーバー上の任意のサイトに登録するとは、そのサーバー内のＨＤＤ等の記憶装置内に所定形式で情報や動画を保存する動作をいう。また、アップロードとは、端末側からサーバー側にデータ送信を行なうとともに、サーバー上に登録することいい、ダウンロードとは、サーバー側から端末側にデータ送信を行なうとともに、端末内の記憶装置内に該データを保存することをいう。
【０００９】
上記動画コンテンツ配信ステップ（４）において、上記運営者サーバーは、少なくとも上記初回登録ステップ時の上記ユーザーの所定情報に基づいて、上記撮影動画に組み合わせる上記広告動画を選択することを特徴とする。
【００１０】
上記動画コンテンツ配信ステップ（４）において、上記動画コンテンツは、上記撮影動画を上記運営者サーバーから、上記広告動画を上記広告サーバーからそれぞれを連続的に配信することで、上記撮影動画に上記広告動画を組み合わせた状態の動画コンテンツとして上記受取人の携帯端末に配信されることを特徴とする。
【００１１】
上記初回登録ステップ（１）において、上記ユーザーがインターネット接続端末を用いて登録用画像を上記運営者サーバーに送信し、上記印刷媒体作製ステップ（２）において、上記運営者が上記専用サイトへの接続情報を含む二次元コードおよび上記登録用画像を付した印刷媒体を作製した後、該印刷媒体を上記ユーザーに受け渡すことを特徴とする。
【００１２】
上記印刷媒体作製ステップ（２）において、上記ユーザーが上記運営者サーバーからインターネット接続端末を介して取得した上記二次元コードの作成プログラムを用いて、上記専用サイトへの接続情報を含む二次元コードを付した印刷媒体を作製することを特徴とする。
【００１３】
上記インターネット接続端末が、インターネット接続機能および動画・画像撮影機能を有する携帯端末であることを特徴とする。
【００１４】
上記二次元コードは、ベースセルとデータセルとがマトリクス状に配列されてなり、上記ベースセルおよびデータセルのいずれか一方が透過状態で上記印刷媒体上に付されることを特徴とする。
二次元コードは、白色のベースエリアを基本に、黒色（褐色）セル部分と、白色セル部分とのコントラストを読み、０または１の信号として置き換えて情報化するものである。二次元コードが開発・発表された当時は、白黒など高いコントラストの場合のみ読み取り可能であったが、近年の画像処理技術および読み取り装置の高度化、誤差修正技術の確立により、コントラストが小さい場合や、少々の汚れ、欠損などがある場合にも読み取りができるようになった。上記二次元コードは、このような背景技術を利用している。
【発明の効果】
【００１５】
本発明の動画コンテンツ配信方法は、印刷媒体をユーザーから受け取った受取人が、この印刷媒体に付されているユーザー専用サイトへの接続情報を含む二次元コードを携帯電話機等の携帯端末で読み取り、登録した動画とこれに広告動画が組み合わされた動画コンテンツを閲覧する方法であるので、印刷媒体を受け取った友人等のみが閲覧可能であり、不特定多数に公開する一般的なｗｅｂサイトよりも親密性、機密性、セキュリティ面に優れる。
【００１６】
また、撮影動画に広告動画を組み合わせた状態の動画コンテンツを配信するので、運営者は広告動画に係る広告スポンサーより宣伝広告料を得ることができ、ユーザーは無料でサイト設置を行なうことができ、受取人は興味ある内容のコンテンツを取得でき、広告スポンサーは必ず閲覧される状態で広告動画を配信できるといった、運営者・ユーザー・受取人・広告スポンサーの四者に相互にメリットをもたらすビジネスモデルを展開できる。このため、本発明の動画コンテンツ配信方法は広く普及し得る。
【００１７】
本発明の配信方法の動画コンテンツ配信ステップにおいて、運営者サーバーは、少なくとも初回登録ステップ時のユーザーの性別や年齢等の所定情報に基づいて、撮影動画に組み合わせる広告動画を選択するので、印刷媒体の受取人である友人等は、該ユーザーと趣味・趣向が近い可能性が高いことから、受取人のニーズや行動に合致する広告動画を組み合わせることができる。
【００１８】
本発明の配信方法の動画コンテンツ配信ステップにおいて、撮影動画を運営者サーバーから、広告動画を広告サーバーからそれぞれを連続的に配信することで、撮影動画に広告動画を組み合わせた状態の動画コンテンツとしてユーザーの携帯端末に配信するので、広告動画は広告スポンサー自身の管理する広告サーバー内にあればよく、運営者サーバー側に広告動画を予め用意しておく必要がないので、広告スポンサーは広告動画の無断複製、無断配信等のリスクを避けることができる。
【００１９】
本発明の配信方法の初回登録ステップにおいて、ユーザーがインターネット接続端末を用いて登録用画像を運営者サーバーに送信し、印刷媒体作製ステップにおいて、運営者がユーザー専用サイトへの接続情報を含む二次元コードおよび登録用画像を付した印刷媒体を作製した後、該印刷媒体をユーザーに受け渡すので、ユーザーが個人で印刷媒体の作製能力がない場合でも、掲載を望む登録用画像と二次元コードとを付した印刷媒体を得ることができる。
【００２０】
本発明の配信方法の印刷媒体作製ステップにおいて、ユーザーが運営者サーバーからインターネット接続端末を介して取得した二次元コードの作成プログラムを用いて、専用サイトへの接続情報を含む二次元コードを付した印刷媒体を作製するので、ユーザーはパーソナルコンピュータ（以下、ＰＣと記す）等で上記作成プログラムを使用し、二次元コードと画像等とを自由に組み合わせた印刷媒体を作製できる。
【００２１】
本発明の配信方法における二次元コードは、ベースセルとデータセルとがマトリクス状に配列されてなり、ベースセルおよびデータセルのいずれか一方が透過状態で上記印刷媒体上に付されるので、優れたデザイン性が望まれる印刷媒体上において該コードを画像等に違和感なく付することができる。また、コード専用スペースを設けず、画像等の領域に埋め込むことで、場所をとらず省スペースである。
【発明を実施するための最良の形態】
【００２２】
本発明の動画コンテンツ配信方法を図１に基づいて説明する。図１は、動画コンテンツ配信方法の基本フローを示す図である。
（１）初回登録ステップ
初回登録ステップは、サイト開設者であるユーザー１が、インターネット接続端末３を用いて運営者サーバー２上の初回登録用サイト２ｂに接続してユーザーの所定情報を登録し、ユーザー１の専用サイト２ａを運営者サーバー２上に作成するステップである。
【００２３】
インターネット接続端末３は、既存のインターネット網に接続可能で、インターネット上のサーバーとデータの送受信が可能な端末であり、例えば、携帯電話機、ＰＤＡ、ＰＣ等が挙げられる。ユーザー１が個人である場合には、その利便性から携帯電話機、ユーザー１が個人または法人であり後述する二次元コードの作成プログラムを使用する場合等は、通常のＰＣ等をそれぞれ利用することが好ましい。
【００２４】
運営者サーバー２上の初回登録サイトの画面表示の一例を図２に示す。初回登録サイトは、ユーザー１が自身の所定情報を入力して専用サイトを開設するためのサイトである。ユーザー１は、図２に示す画面に従い、ログイン名、パスワード、メールアドレス、郵便番号を入力し、次いで年齢、性別、職業等を選択肢より選択入力する。年齢選択例としては、１０代、２０代、３０代等、職業選択例としては、学生＿中学生、学生＿高校生、会社員、自営業、専門職、フリータ等が挙げられる。
【００２５】
上記入力後にユーザー１が仮登録を行なうと、運営者サーバー２から、入力されたメールアドレスに、動画アップロード用の携帯電話用アプリケーション（以下、単にアプリとも記す）をダウンロードするためのＵＲＬが記載されたメールを自動送信する。このＵＲＬに従い上記アプリをダウンロードすることで本登録が完了する。
【００２６】
以上の登録により、運営者サーバー２上にユーザー１の専用サイト２ａが作成される。専用サイト２ａは、運営者サーバー２内の記憶装置内に所定サイズの記憶領域として作成される。専用サイト２ａには、先に入力したユーザー１の所定情報が登録される。また、上記ダウンロードしたアプリには、専用サイト２ａへのＵＲＬ（接続情報）が含まれ、動画アップロード時には特にユーザー１による入力を必要とせず、自動で自身の専用サイト２ａに接続される。
【００２７】
（２）印刷媒体作製ステップ
印刷媒体作製ステップは、運営者４またはユーザー１が、専用サイト２ａへの接続情報を含む二次元コードを付した印刷媒体５を作製するステップである。この印刷媒体作製ステップは、（２−Ａ）運営者側で印刷媒体を作製する場合、（２−Ｂ）ユーザー側で印刷媒体を作製する場合の２種類がある。それぞれの場合について順に説明する。
【００２８】
（２−Ａ）運営者側で印刷媒体を作製する場合
これはユーザー１が個人等であり、印刷媒体の作製能力を有しない場合等が該当する。まず、初回登録ステップにおいて、ユーザー１がインターネット接続端末３を用いて上記の所定情報に加えて登録用画像を運営者サーバー２に送信する。送信する登録用画像は、印刷媒体５に付される画像であり、例えば、カメラ付き携帯電話機で撮影した自身の顔写真や、その他の写真・画像等が挙げられる。
運営者４は、この登録用画像およびユーザー１の専用サイト２ａのＵＲＬ（接続情報）を含む二次元コードを付した印刷媒体５を作製する。印刷媒体５としては、例えば図３に示すようなプリクラが挙げられる。運営者４は、作製した印刷媒体５をユーザー１に郵送等により受け渡す。
【００２９】
図３に示すように、印刷媒体５に付される二次元コード６は、ベースセル６ａとデータセル６ｂとがマトリクス状に配列されてなり、このベースセル６ａおよびデータセル６ｂのいずれか一方が透過状態である。ベースセル６ａおよびデータセル６ｂは、共に二次元コードを構成する最小単位であり、正方形の単位セルである。
ここで「透過状態」とは、該当セルの部分が透過しており、そのセルのコード認識装置から見る側の反対側（以下、コード背面側）の画像が該セルの部分に見える状態をいう。具体的には、例えば、該セルを印刷しないことにより透過状態とし、コード背面側の画像等をそのまま該セル部分に残す。
【００３０】
二次元コード６は、従来の任意の二次元コードをベースとすることができる。国内での普及率に優れていること等から、ＱＲコードをベースとすることが好ましい。この場合、ベースセルとデータセルとの組み合わせにより、位置検出パターン（切り出しシンボル）、タイミングパターン、フォーマット情報、データおよび誤り訂正符合（リードソロモン符号）等が構成されている。
【００３１】
ベースセル６ａは白色または明度の高い色とし、データセル６ｂは黒色、暗褐色または明度の低い色とする。よって、いずれのセルを透過状態とするかは、背景となる画像の状況に依存する。すなわち、コード背面側の画像に明るい部分が多く含まれる場合は、ベースセル６ａを透過状態とし、反対にコード背面側の画像に暗い部分が多く含まれる場合は、データセル６ｂを透過状態とする。図３では、ベースセル６ａを透過状態としている。
【００３２】
また、ベースセル６ａの色は、データセル６ｂの色との関係で所定のコントラストを有していれば携帯電話機等に付属のコード認識装置により読み取り可能であるので、データセル６ｂを透過状態とする場合、ベースセル６ａの色を上記読み取り可能な範囲で決定することができる。同様に、データセル６ｂの色は、ベースセル６ａの色との関係で所定のコントラストを有していればコード認識装置により読み取り可能であるので、ベースセル６ａを透過状態とする場合、データセル６ｂの色を上記読み取り可能な範囲で決定することができる。
二次元コード６は、透過状態としないセルの色を、コード背面側の画像等の色を考慮し、上記範囲内において、極力明るい色、暗い色もしくは背面の画像に近い色とすることが好ましい。このように適宜選択することで、コードをより違和感なく画像に融合できる。
また、二次元コードを付す位置も、コード背面側の画像が色変化の少ない位置となるよう適宜選択することが好ましい。
【００３３】
以上のように、印刷媒体５に全体のデザイン性を損なうことなく二次元コード６を付すことで、若年層で利用されるプリクラ等、親しい友人間等で受け渡しされる印刷物として好適である。また、図３に示すように、コード専用スペースを設けず、画像領域に埋め込むことで、場所をとらず省スペースである。
【００３４】
（２−Ｂ）ユーザー側で印刷媒体を作製する場合
これはユーザー１が個人または法人等であり、印刷媒体５として自作印刷物を作製する、または、出版物を発行するような場合が該当する。
ユーザー１が運営者サーバー２からインターネット接続端末３を介して二次元コードの作成プログラムをダウンロードして取得する。この作成プログラムは、ＰＣ等で実行可能なものである。ユーザー１は作成プログラムを使用し、ユーザー１の専用サイト２ａのＵＲＬ（接続情報）を含む二次元コードと画像等とを自由に組み合わせた印刷媒体５を作製できる。なお、この作成プログラムは、上記（２−Ａ）の場合と同様のアルゴリズムで透過型の二次元コードを作成するものである。また、別途その他の装置（例えばプリクラ機等）を利用して印刷媒体を作製してもよい。
【００３５】
（３）動画登録ステップ
動画登録ステップは、ユーザー１が、撮影した撮影動画をインターネット接続端末３を用いて運営者サーバー２に送信し専用サイト２ａに登録するステップである。撮影動画は、動画撮影機能付き携帯電話機で撮影した動画、その他の動画撮影装置で撮影した動画、または加工動画等である。なお、撮影画像（静止画）であっても同様に扱うことができる。
【００３６】
動画を運営者サーバー２に送信し専用サイト２ａに登録するには、上記初回登録ステップにおいてダウンロードしたアップロード用アプリを使用して行なう。なお、このアプリはその端末の種類、携帯電話機であればキャリア別にそれぞれ対応する形式で用意される。
このアプリの画面表示の一例を図４に示す。動画・画像撮影機能を有する携帯電話機上等でアプリを起動すると、図４に示す各画面を選択でき、ユーザーが各メニューに従い静止画や動画の撮影を行なうと、撮影完了と同時に運営者サーバー２に自動で送信され専用サイト２ａに登録される。
この他、ＰＣ等上でユーザーが加工した動画等をＰＣ対応のアップロード用プログラムを使用して運営者サーバー２に送信して専用サイト２ａに登録することも可能である。
【００３７】
また、動画登録ステップにおいて、ユーザー１は登録する動画に付加する広告動画を任意に選択することもできる。付加する広告動画は、予め広告スポンサー９が提供している広告動画を、動画アップロード時に表示される一覧から任意に選択する。広告動画は、１種または２種以上を選択可能であり、登録する動画に対して、その前後に挿入、または、途中に挿入等も任意に選択できる。
【００３８】
（４）動画コンテンツ配信ステップ
動画コンテンツ配信ステップは、印刷媒体５をユーザー１から受け取った受取人７が、携帯端末１０を用い印刷媒体５に付されている二次元コード６を読み取ることで専用サイト２ａに接続する（図１中（ａ））とともに、少なくとも運営者サーバー２が専用サイト２ａに登録されている撮影動画に広告サーバー８に登録されている広告動画を組み合わせた状態の動画コンテンツを受取人７の携帯端末１０に配信する（図１中（ｄ））ステップである。
【００３９】
受取人７の携帯端末１０は、少なくともインターネット接続機能および二次元コード読取機能を有することが必要となる。本発明で使用される二次元コードは、ベースセルとデータセルのいずれか一方が透過状態であるので、二次元コード読取機能としては、少なくともこの透過状態であるセルに示される色と、透過状態でないセルの色とのコントラストを読み取り可能な画像認識機能を必要とする。
【００４０】
受取人７が、携帯端末１０を用い専用サイト２ａに接続すると（図１中（ａ））、例えば図５に示すような専用サイト画面が表示される。ここで、所定のタイトル等を選択することで、対応した動画コンテンツが配信される。
動画コンテンツは、撮影動画を運営者サーバー２から、広告動画を広告サーバー８から、それぞれを連続的に配信する（図１中（ｂ）および（ｃ））ことで、撮影動画に広告動画を組み合わせた状態で受取人７の携帯端末１０に配信される（図１中（ｄ））。すなわち、各動画を連結した一体のものとするのではなく、経時的に連続して順次配信させることで組み合わせた状態とする。
【００４１】
広告動画は広告スポンサー９の管理する広告サーバー８内にあればよく、運営者サーバー２側に広告動画を予め用意しておく必要がないので、広告スポンサー１１は広告動画の無断複製、無断配信等のリスクを避けることができる。
なお、広告サーバー８は、必ずしも広告スポンサー９が管理する必要はなく、例えば運営者等が管理してもよい。また、運営者サーバー２と広告サーバー８とが同一のサーバーであってもよい。
【００４２】
図１中（ｂ）および（ｃ）において、撮影動画に付加される広告動画の種類等は、上記ユーザー１による任意選択があった場合にはそれに従う。
任意選択がない場合には、運営者サーバー２は、初回登録ステップ時のユーザー１の年齢、性別等の所定情報に基づいて、撮影動画に組み合わせる広告動画を自動で選択する。例えば、同年代、同姓の範囲において流行情報を考慮した広告動画を自動選択する。流行情報等の付加的情報については、運営者が適宜更新する。また、これらの情報以外に、ユーザー１が過去に閲覧した動画履歴を参照し、これに関連した広告動画を所定の選択条件を付加して自動選択させることも可能である。
以上のような選択方法を採用することで、運営者サーバー２による自動選択であっても、ユーザー１と趣味・趣向が近い可能性が高い受取人７のニーズや行動に合致する広告動画を組み合わせることができる。
【産業上の利用可能性】
【００４３】
本発明の動画コンテンツ配信方法は、二次元コードを付した印刷媒体の配布を介して、配布したユーザーおよび受け取った友人等のニーズや行動に合致する広告を含めた動画コンテンツを容易に配信できるので、運営者・ユーザー・受取人・広告スポンサーの四者に相互にメリットをもたらすビジネスモデルを展開でき、広く普及し得る。
【図面の簡単な説明】
【００４４】
【図１】本発明の動画コンテンツ配信方法の基本フローを示す図である。
【図２】初回登録サイトの画面表示の一例を示す図である。
【図３】二次元コードが付された印刷媒体の一例を示す図である。
【図４】動画登録ステップで使用される動画アップロード用アプリの画面表示を示す図である。
【図５】専用サイトの画面表示の一例を示す図である。
【符号の説明】
【００４５】
１  ユーザー
２  運営者サーバー
３  インターネット接続端末
４  運営者
５  印刷媒体
６  二次元コード
７  受取人
８  広告サーバー
９  広告スポンサー
１０  携帯端末
【図１】
2008225863.tif 000003
【図２】
2008225863.tif 000004
【図３】
2008225863.tif 000005
【図４】
2008225863.tif 000006
【図５】
2008225863.tif 000007